(57)【要約】【課題】  テレビ放送による映像とインターネットのウエブブラウザを表示することができるテレビジョン受信機やパーソナルコンピュータなどでは、テレビ放送による映像表示に適した輝度レベルでウエブブラウザを表示すると輝度が高すぎ、一方、ウエブブラウザの表示に適した輝度レベルでテレビ放送による映像を表示すると輝度レベルが低いという問題がある。【解決手段】  放送番組を表示するための輝度レベルと、ウエブブラウザを表示するための輝度レベルとをそれぞれ記憶し、画面の表示態様に応じてそれぞれの輝度レベルで表示するようにした。【選択図】  図４
2007286449.tif 000002
【特許請求の範囲】
【請求項１】
放送受信手段と通信手段とを有した映像表示装置であって、
前記放送受信手段で受信した信号を表示するための輝度レベルと、前記通信手段で取得した情報を表示するための輝度レベルとをそれぞれ記憶する記憶手段と、
前記放送受信手段で受信した信号と前記通信手段で取得した情報とをどのような態様で表示するかを制御する表示制御手段と、
該表示制御手段で制御された表示態様に応じて前記記憶手段に記憶された輝度レベルを読み出し、その読み出された輝度レベルにて制御される表示手段と、
を具備することを特徴とする映像表示装置。
【請求項２】
放送受信手段と通信手段とを有した映像表示装置であって、
前記放送受信手段で受信した信号を表示するための輝度レベルと、前記通信手段で取得した情報を表示するための輝度レベルとをそれぞれ記憶する記憶手段と、
前記放送受信手段で受信した信号と前記通信手段で取得した情報とをどのような態様で表示するかを制御する表示制御手段と、
該表示制御手段で制御された表示態様に応じて前記記憶手段に記憶された輝度レベルを読み出し、その読み出された輝度レベルにて制御される表示手段と、
を具備し、前記表示制御手段にて、前記放送受信手段で受信した信号と前記通信手段で取得した情報とを並列に、かつ、前記放送受信手段で受信した信号と前記通信手段で取得した情報との表示領域が異なるように表示するように制御した場合は、表示領域の大きい方の信号／情報を表示するための輝度レベルを前記記憶手段から読み出すことを特徴とする映像表示装置。
【請求項３】
放送受信手段と通信手段とを有した映像表示装置であって、
前記放送受信手段で受信した信号を表示するための輝度レベルと、前記通信手段で取得した情報を表示するための輝度レベルとをそれぞれ記憶する記憶手段と、
前記放送受信手段で受信した信号と前記通信手段で取得した情報とをどのような態様で表示するかを制御する表示制御手段と、
該表示制御手段で制御された表示態様に応じて前記記憶手段に記憶された輝度レベルを読み出し、その読み出された輝度レベルにて制御される表示手段と、
を具備し、前記表示制御手段にて、前記放送受信手段で受信した信号と前記通信手段で取得した情報とを並列に、かつ、前記放送受信手段で受信した信号と前記通信手段で取得した情報との表示領域が略同じになるように表示するように制御した場合は、前記通信手段で取得した情報を表示するための輝度レベルを前記記憶手段から読み出すことを特徴とする映像表示装置。
【請求項４】
放送受信手段と通信手段とを有した映像表示装置であって、
前記放送受信手段で受信した信号を表示するための輝度レベルと、前記通信手段で取得した情報を表示するための輝度レベルとをそれぞれ記憶する記憶手段と、
前記放送受信手段で受信した信号と前記通信手段で取得した情報とをどのような態様で表示するかを制御する表示制御手段と、
該表示制御手段で制御された表示態様に応じて前記記憶手段に記憶された輝度レベルを読み出し、その読み出された輝度レベルにて制御される表示手段と、
を具備し、前記表示制御手段にて、前記放送受信手段で受信した信号の表示領域が画面全体の略５０％未満となるように表示するように制御した場合は、前記通信手段で取得した情報を表示するための輝度レベルを前記記憶手段から読み出すことを特徴とする映像表示装置。
【請求項５】
放送受信手段と通信手段とを有した映像表示装置であって、
前記放送受信手段で受信した信号を表示するための輝度レベルと、前記通信手段で取得した情報を表示するための輝度レベルとをそれぞれ記憶する記憶手段と、
前記放送受信手段で受信した信号と前記通信手段で取得した情報とをどのような態様で表示するかを制御する表示制御手段と、
該表示制御手段で制御された表示態様に応じて前記記憶手段に記憶された輝度レベルを読み出し、その読み出された輝度レベルにて制御される表示手段と、
を具備し、前記表示制御手段にて、前記放送受信手段で受信した信号と前記通信手段で取得した情報との表示領域が重なるように表示するように制御した場合は、前面に表示された方の信号／情報を表示するための輝度レベルを前記記憶手段から読み出すことを特徴とする映像表示装置。
【請求項６】
放送受信手段と通信手段とを有した映像表示装置であって、
前記放送受信手段で受信した信号を表示するための輝度レベルと、前記通信手段で取得した情報を表示するための輝度レベルとをそれぞれ記憶する第一の記憶手段と、
前記通信手段で取得した情報の内、所定の情報の所在を特定するための情報を記憶する第二の記憶手段と、
前記放送受信手段で受信した信号と前記通信手段で取得した情報とをどのような態様で表示するかを制御する表示制御手段と、
該表示制御手段で制御された表示態様に応じて前記第一の記憶手段に記憶された輝度レベルを読み出し、その読み出された輝度レベルにて制御される表示手段と、
を具備し、前記通信手段で取得した情報が前記第二の記憶手段に記憶された所定の所在から取得されたものである場合は、前記表示制御手段での表示態様に関わらず、前記第一の記憶手段から前記放送受信手段で受信した信号を表示するための輝度レベルを読み出すことを特徴とする映像表示装置。
【請求項７】
放送番組の表示機能とウエブブラウザの表示機能を有し、
放送番組表示用の輝度レベルとウエブブラウザ表示用の輝度レベルとを予め設定し、
放送番組とウエブブラウザを同時に表示する場合、表示領域の大きい方の表示用輝度レベルで映像を表示する、ことを特徴とする映像表示方法。
【請求項８】
放送番組の表示機能とウエブブラウザの表示機能を有し、
放送番組表示用の輝度レベルとウエブブラウザ表示用の輝度レベルとを予め設定し、
放送番組とウエブブラウザを同時に、かつ、それぞれの表示領域が略同じとなるように表示する場合、ウエブブラウザ表示用の輝度レベルで映像を表示する、ことを特徴とする映像表示方法。
【請求項９】
放送番組の表示機能とウエブブラウザの表示機能を有し、
放送番組表示用の輝度レベルとウエブブラウザ表示用の輝度レベルとを予め設定し、
放送番組の表示領域が画面全体の略５０％未満となるように表示する場合、ウエブブラウザ表示用の輝度レベルで映像を表示する、ことを特徴とする映像表示方法。
【請求項１０】
放送番組の表示機能とウエブブラウザの表示機能を有し、
放送番組表示用の輝度レベルとウエブブラウザ表示用の輝度レベルとを予め設定し、
放送番組の表示領域とウエブブラウザの表示が重なり合うように表示する場合、前面に表示された方の表示用輝度レベルで映像を表示する、ことを特徴とする映像表示方法。
【請求項１１】
放送番組の表示機能とウエブブラウザの表示機能を有し、
放送番組表示用の輝度レベルとウエブブラウザ表示用の輝度レベルと所定のウエブブラウザのＵＲＬを予め設定し、
前記設定したＵＲＬのウエブブラウザを表示する場合、放送番組表示用の輝度レベルで映像を表示する、ことを特徴とする映像表示方法。
【請求項１２】
コンピュータに、
放送受信手段とインターネット接続手段とを制御させ、
放送番組表示用の輝度レベルとウエブブラウザ表示用の輝度レベルとをメモリに記憶させ、
表示手段に放送番組とウエブブラウザを表示させ、
表示手段における輝度レベルを、放送番組の表示領域とウエブブラウザの表示領域のどちらか大きい方の表示用の輝度レベルとなるように制御させる、ことを特徴とする映像表示プログラム。
【請求項１３】
コンピュータに、
放送受信手段とインターネット接続手段とを制御させ、
放送番組表示用の輝度レベルとウエブブラウザ表示用の輝度レベルとをメモリに記憶させ、
表示手段に放送番組とウエブブラウザを略同じ大きさの領域で表示させ、
表示手段における輝度レベルを、ウエブブラウザ表示用の輝度レベルとなるように制御させる、ことを特徴とする映像表示プログラム。
【請求項１４】
コンピュータに、
放送受信手段とインターネット接続手段とを制御させ、
放送番組表示用の輝度レベルとウエブブラウザ表示用の輝度レベルとをメモリに記憶させ、
表示手段に少なくとも放送番組を画面全体の略５０%未満の領域に表示させ、
表示手段における輝度レベルを、ウエブブラウザ表示用の輝度レベルとなるように制御させる、ことを特徴とする映像表示プログラム。
【請求項１５】
コンピュータに、
放送受信手段とインターネット接続手段とを制御させ、
放送番組表示用の輝度レベルとウエブブラウザ表示用の輝度レベルとをメモリに記憶させ、
表示手段に放送番組とウエブブラウザを領域が重なるように表示させ、
表示手段における輝度レベルを、放送番組の表示領域とウエブブラウザの表示領域のどちらか前面に表示された方の表示用の輝度レベルとなるように制御させる、ことを特徴とする映像表示プログラム。
【請求項１６】
コンピュータに、
放送受信手段とインターネット接続手段とを制御させ、
放送番組表示用の輝度レベルとウエブブラウザ表示用の輝度レベルと所定のウエブブラウザのＵＲＬとをメモリに記憶させ、
表示手段に前記所定のＵＲＬのウエブブラウザを表示させ、
表示手段における輝度レベルを、放送番組表示用の輝度レベルとなるように制御させる、ことを特徴とする映像表示プログラム。
【発明の詳細な説明】
【技術分野】
【０００１】
本発明は、映像表示装置、映像表示方法および映像表示プログラムに係るものであり、特にテレビジョン放送による映像と、インターネットによる映像とを表示する機能を有した映像表示装置に好適に適用できるものである。
【背景技術】
【０００２】
近年、テレビ放送受信機能とインターネット接続機能とを有し、テレビ放送による映像とインターネットのウエブブラウザを表示することができるテレビジョン受信機やパーソナルコンピュータなどが普及している。
【０００３】
このようなテレビジョン受信機やパーソナルコンピュータでは、テレビ放送による映像表示に適した輝度レベルでウエブブラウザを表示すると輝度が高すぎて目に与える負担が重くなり、一方、ウエブブラウザの表示に適した輝度レベルでテレビ放送による映像を表示すると輝度レベルが低く鮮やかな映像を見ることができないという問題がある。
【０００４】
このような問題に対して、従来、ＴＶ映像とコンピュータ映像とが入力されるディスプレイ装置において、それぞれの信号に適した輝度レベルに自動的に調整する技術が特許文献１などに開示されている。
【特許文献１】実開平０６-０１５０９５号公報
【発明の開示】
【発明が解決しようとする課題】
【０００５】
上記の特許文献１では、ＴＶ映像とコンピュータ映像とが切り換えて表示される場合のみ開示されている。ところが、テレビ放送による映像とインターネットのウエブブラウザを表示することができるテレビジョン受信機やパーソナルコンピュータなどでは、テレビ放送による映像とウエブブラウザを同時に表示する使用態様があり、特許文献１に開示された技術では、このような使用態様の場合に対応できないという問題がある。
【０００６】
また、近年、インターネットでの動画配信などのサービスが普及し始めており、上記の特許文献１のようにＴＶ映像かコンピュータ映像かで区別するのは適切でなくなっているという問題がある。
【課題を解決するための手段】
【０００７】
本発明は、上記のような課題を解決するため、以下のような手段を講じたものである。
【０００８】
即ち、本発明にかかる映像表示装置は、放送受信手段と通信手段とを有した映像表示装置であって、前記放送受信手段で受信した信号を表示するための輝度レベルと、前記通信手段で取得した情報を表示するための輝度レベルとをそれぞれ記憶する記憶手段と、前記放送受信手段で受信した信号と前記通信手段で取得した情報とをどのような態様で表示するかを制御する表示制御手段と、該表示制御手段で制御された表示態様に応じて前記記憶手段に記憶された輝度レベルを読み出し、その読み出された輝度レベルにて制御される表示手段とを具備するようにしたものである。
【０００９】
ここで、前記表示制御手段にて、前記放送受信手段で受信した信号と前記通信手段で取得した情報とを並列に、かつ、前記放送受信手段で受信した信号と前記通信手段で取得した情報との表示領域が異なるように表示するように制御した場合は、表示領域の大きい方の信号／情報を表示するための輝度レベルを前記記憶手段から読み出すことが好ましい。
【００１０】
また、前記表示制御手段にて、前記放送受信手段で受信した信号と前記通信手段で取得した情報とを並列に、かつ、前記放送受信手段で受信した信号と前記通信手段で取得した情報との表示領域が略同じになるように表示するように制御した場合は、前記通信手段で取得した情報を表示するための輝度レベルを前記記憶手段から読み出すことが好ましい。
【００１１】
また、前記表示制御手段にて、前記放送受信手段で受信した信号の表示領域が画面全体の略５０％未満となるように表示するように制御した場合は、前記通信手段で取得した情報を表示するための輝度レベルを前記記憶手段から読み出すことが好ましい。
【００１２】
また、前記表示制御手段にて、前記放送受信手段で受信した信号と前記通信手段で取得した情報との表示領域が重なるように表示するように制御した場合は、前面に表示された方の信号／情報を表示するための輝度レベルを前記記憶手段から読み出すことが好ましい。
【００１３】
更に、本発明にかかる映像表示装置は、放送受信手段と通信手段とを有した映像表示装置であって、前記放送受信手段で受信した信号を表示するための輝度レベルと、前記通信手段で取得した情報を表示するための輝度レベルとをそれぞれ記憶する第一の記憶手段と、前記通信手段で取得した情報の内、所定の情報の所在を特定するための情報を記憶する第二の記憶手段と、前記放送受信手段で受信した信号と前記通信手段で取得した情報とをどのような態様で表示するかを制御する表示制御手段と、該表示制御手段で制御された表示態様に応じて前記第一の記憶手段に記憶された輝度レベルを読み出し、その読み出された輝度レベルにて制御される表示手段と、を具備し、前記通信手段で取得した情報が前記第二の記憶手段に記憶された所定の所在から取得されたものである場合は、前記表示制御手段での表示態様に関わらず、前記第一の記憶手段から前記放送受信手段で受信した信号を表示するための輝度レベルを読み出すようにしたものである。
【００１４】
加えて、本発明にかかる映像表示方法は、放送番組の表示機能とウエブブラウザの表示機能を有し、放送番組表示用の輝度レベルとウエブブラウザ表示用の輝度レベルとを予め設定し、放送番組とウエブブラウザを同時に表示する場合、表示領域の大きい方の表示用輝度レベルで映像を表示するようにしたものである。
【００１５】
ここで、放送番組とウエブブラウザを同時に、かつ、それぞれの表示領域が略同じとなるように表示する場合、ウエブブラウザ表示用の輝度レベルで映像を表示することが好ましい。
【００１６】
また、放送番組の表示領域が画面全体の略５０％未満となるように表示する場合、ウエブブラウザ表示用の輝度レベルで映像を表示することが好ましい。
【００１７】
また、放送番組の表示領域とウエブブラウザの表示が重なり合うように表示する場合、前面に表示された方の表示用輝度レベルで映像を表示することが好ましい。
【００１８】
更に、本発明にかかる映像表示方法は、放送番組の表示機能とウエブブラウザの表示機能を有し、放送番組表示用の輝度レベルとウエブブラウザ表示用の輝度レベルと所定のウエブブラウザのＵＲＬを予め設定し、前記設定したＵＲＬのウエブブラウザを表示する場合、放送番組表示用の輝度レベルで映像を表示するようにしても良い。
【００１９】
加えて、本発明にかかる映像表示プログラムは、コンピュータに放送受信手段とインターネット接続手段とを制御させ、放送番組表示用の輝度レベルとウエブブラウザ表示用の輝度レベルとをメモリに記憶させ、表示手段に放送番組とウエブブラウザを表示させ、表示手段における輝度レベルを、放送番組の表示領域とウエブブラウザの表示領域のどちらか大きい方の表示用の輝度レベルとなるように制御させるものである。
【００２０】
ここで、表示手段に放送番組とウエブブラウザを略同じ大きさの領域で表示させ、表示手段における輝度レベルを、ウエブブラウザ表示用の輝度レベルとなるように制御させても良い。
【００２１】
また、表示手段に少なくとも放送番組を画面全体の略５０%未満の領域に表示させ、表示手段における輝度レベルを、ウエブブラウザ表示用の輝度レベルとなるように制御させても良い。
【００２２】
また、表示手段に放送番組とウエブブラウザを領域が重なるように表示させ、表示手段における輝度レベルを、放送番組の表示領域とウエブブラウザの表示領域のどちらか前面に表示された方の表示用の輝度レベルとなるように制御させても良い。
【００２３】
更に、本発明にかかる映像表示プログラムは、コンピュータに、放送受信手段とインターネット接続手段とを制御させ、放送番組表示用の輝度レベルとウエブブラウザ表示用の輝度レベルと所定のウエブブラウザのＵＲＬとをメモリに記憶させ、表示手段に前記所定のＵＲＬのウエブブラウザを表示させ、表示手段における輝度レベルを、放送番組表示用の輝度レベルとなるように制御させても良い。
【発明の効果】
【００２４】
本発明によれば、映像表示装置に複数の信号が入力される場合、映像表示装置の輝度レベルを、入力信号の表示態様に適した輝度レベルに自動的に調整することができる。
【発明を実施するための最良の形態】
【００２５】
図１及び図２は、本発明にかかる映像表示装置での画面表示の様子を示した図である。
【００２６】
図１、図２において、１０１は表示画面であり、１０２はテレビ放送の映像であり、１０３はウエブブラウザである。
【００２７】
図１（ａ）は、テレビ放送の映像１０２がウエブブラウザ１０３に比べて小さく表示されている場合であり、同図（ｂ）は、その逆の表示状態の場合である。
【００２８】
また、図２は、テレビ放送の映像１０２とウエブブラウザ１０３とが重なり合うように表示されている場合であり、同図（ａ）は、テレビ放送の映像１０２がウエブブラウザ１０３の前面に表示されている場合であり、同図（ｂ）は、その逆の表示状態の場合である。
【００２９】
また、図３は、本発明にかかる映像表示装置のブロック図である。
【００３０】
同図において、３０１は受信したテレビ放送信号を処理するＴＶ信号処理部であり、３０２はインターネットから取得した情報を表示するウエブブラウザ処理部であり、３０３はユーザの操作を入力するユーザ操作入力部であり、３０４はテレビ信号とウエブブラウザとを切り替え、または、同時に若しくは重ねて表示するように制御する表示制御部であり、３０５は液晶表示部であり、３０６は液晶表示部３０５の輝度レベルを調整するバックライトであり、３０７は装置全体の制御をするシステム制御部である。
【００３１】
本発明においては、まず、ユーザ操作入力部３０３の操作により、テレビ放送の映像１０２用の輝度レベルとウエブブラウザ１０３用の輝度レベルがシステム制御部３０７内のメモリに記憶される。
【００３２】
次に、ユーザ操作入力部３０３の操作により、ＴＶ信号処理部３０１の出力であるテレビ放送の映像１０２とウエブブラウザ処理部３０２の出力であるウエブブラウザ１０３とをどのような態様で表示するかを表示制御部３０４で制御して液晶表示部３０５に出力する。また、同時に、その表示態様に合わせて輝度レベルを前記メモリから読み出し、バックライト３０６の輝度を制御する。
【００３３】
ここで、図１のように、テレビ放送の映像１０２とウエブブラウザ１０３とが重なり合うことなく並列に大小の関係で表示されている場合は、表示領域の大きい方の輝度レベルを前記メモリから読み出し、バックライト３０６を制御する。即ち、同図（ａ）の場合は、ウエブブラウザ１０３用の輝度レベルとなり、同図（ｂ）の場合は、テレビ放送の映像１０２用の輝度レベルとなる。
【００３４】
また、図２のように、テレビ放送の映像１０２とウエブブラウザ１０３とが重なり合うように表示されている場合は、前面に表示されている方の輝度レベルを前記メモリから読み出し、バックライト３０６を制御する。即ち、同図（ａ）の場合は、テレビ放送の映像１０２用の輝度レベルとなり、同図（ｂ）の場合は、ウエブブラウザ１０３用の輝度レベルとなる。
【００３５】
更に、図示はしていないが、テレビ放送の映像１０２とウエブブラウザ１０３とが重なり合うことなく並列にほぼ同じ大きさで表示されている場合や、テレビ放送の映像１０２の表示領域が画面全体の５０％未満のような場合は、テレビ放送の映像１０２を積極的に見ようとする意思が無いものと考え、ウエブブラウザ１０３用の輝度レベルとするのが好ましい。
【００３６】
上記のような処理の様子をフローチャートで示したものが図４である。
【００３７】
同図において、ステップＳ４０１にて、テレビ放送の映像１０２用の輝度レベルとウエブブラウザ１０３用の輝度レベルが表示制御部３０４内のメモリに記憶される。
【００３８】
続いて、ステップＳ４０２にて、ユーザ操作に基いた表示態様でテレビ放送の映像１０２とウエブブラウザ１０３とが液晶表示部３０５に表示される。
【００３９】
更に、ステップＳ４０３にて、その表示態様に合わせた輝度レベルが前記メモリから読み出される。
【００４０】
最後に、ステップＳ４０４にて、その輝度レベルでバックライト３０６が制御される。
【００４１】
ところで、近年、インターネットでの動画配信の普及が急速に進んでおり、インターネットでドラマや映画の映像コンテンツを楽しむことができるようになっている。そのような映像コンテンツは、テレビ放送の映像１０２と同様に扱うのが好ましい。
【００４２】
そこで、そのような映像コンテンツを配信しているＵＲＬを予め記録しておき、その記録されたＵＲＬにアクセスした場合は、テレビ放送の映像１０２用の輝度レベルで制御する。
【００４３】
そのような処理をするための装置のブロック図を図５に、また、フローチャートを図６に示す。図５のブロック図と図３のブロック図の違いは、ウエブブラウザ処理部３０２とシステム制御部３０７との間でのＵＲＬの情報の送受信をする制御ラインを新たに設けた点である。
【００４４】
図６において、ステップＳ６０１にて、テレビ放送の映像１０２用の輝度レベルとウエブブラウザ１０３用の輝度レベルがシステム制御部３０７内のメモリに記憶される。
【００４５】
続いて、ステップＳ６０２にて、映像コンテンツを配信しているＵＲＬをメモリに記憶する（尚、このメモリは、輝度レベルが記憶されている前記メモリと共用しても良いし、また、別途、専用に用意しても良い）。
【００４６】
続いて、ステップＳ６０３にて、ユーザ操作に基いた表示態様でテレビ放送の映像１０２とウエブブラウザ１０３とが液晶表示部３０５に表示される。
【００４７】
続いて、ステップＳ６０４にて、表示されたウエブブラウザのＵＲＬが前記のメモリに記憶したＵＲＬと一致するか判定される。
【００４８】
その判定の結果、ＵＲＬが一致した場合は、ステップＳ６０６にて、表示態様に関わらず、テレビ放送の映像１０２用の輝度レベルが前記メモリから読み出される。一方、ＵＲＬが一致しない場合は、ステップＳ６０５にて、その表示態様に合わせた輝度レベルが前記メモリから読み出される。
【００４９】
最後に、ステップＳ６０７にて、その輝度レベルでバックライト３０６が制御される。
【００５０】
尚、以上の実施形態では、テレビ放送の映像とウエブブラウザとの組み合わせについて説明しているが、テレビ放送の映像に代えて、ＤＶＤプレーヤ、ＨＤＤプレーヤなどの外部機器から入力された映像にした場合でも同様である。また、ウエブブラウザに代えて、ワープロソフト、表計算ソフトなどのアプリケーションソフトの表示にした場合でも同様である。
【図面の簡単な説明】
【００５１】
【図１】画面の表示態様を示した図である。
【図２】画面の表示態様を示した図である。
【図３】本発明にかかる映像表示装置のブロック図である。
【図４】本発明にかかる映像表示装置の動作フローチャートである。
【図５】本発明にかかる映像表示装置のブロック図である。
【図６】本発明にかかる映像表示装置の動作フローチャートである。
【符号の説明】
【００５２】
１０１  表示画面
１０２  テレビ放送の映像
１０３  ウエブブラウザ
３０１  ＴＶ信号処理部
３０２  ウエブブラウザ処理部
３０３  ユーザ操作入力部
３０４  表示制御部
３０５  液晶表示部
３０６  バックライト
３０７  システム制御部
【図１】
2007286449.tif 000003
【図２】
2007286449.tif 000004
【図３】
2007286449.tif 000005
【図４】
2007286449.tif 000006
【図５】
2007286449.tif 000007
【図６】
2007286449.tif 000008